(57)【要約】【課題】アウター端子を小型化できる基板用シールドコネクタを提供する。【解決手段】アウター端子３０は規制片部３８と係止片部３９とを有し、インナーハウジング２０は突起２７を有し、アウターハウジング４０は規制面５７ａと係止段部５３ａと係止面５４ａとを有している。そして、インナーハウジング２０を保持するアウター端子３０が、アウターハウジング４０によって保持されている装着状態においては、規制片部３８が規制面５７ａに係止され、係止片部３９が係止段部５９に係止され、突起２７が係止面５４ａに係止されることによって、アウター端子３０及びインナーハウジング２０がアウターハウジング４０に組付けられている。【選択図】図９
2014060130.tif 000002
【特許請求の範囲】
【請求項１】
相手方端子と回路基板の信号パターンとに接続される導電金属製のインナー端子と、
前記回路基板のグランドパターンに接続され、前記インナー端子の一部を覆う導電金属製のアウター端子と、
前記インナー端子と前記アウター端子との間に配置される絶縁樹脂製のインナーハウジングと、
前記アウター端子を収容して前記回路基板に固定される絶縁樹脂製のアウターハウジングと、
を備え、
前記アウター端子は、第１の係止部を有し、
前記インナーハウジングは、第２の係止部を有し、
前記アウターハウジングは、前記第１の係止部が係止される第１の被係止部と、前記第２の係止部が係止される第２の被係止部と、を有し、
前記インナーハウジングを保持する前記アウター端子が、前記アウターハウジングによって保持されている装着状態においては、前記第１の係止部が前記第１の被係止部に係止され、前記第２の係止部が前記第２の被係止部に係止されることによって、前記アウター端子及び前記インナーハウジングが前記アウターハウジングに組付けられている、
ことを特徴とする基板用シールドコネクタ。
【請求項２】
前記アウター端子は、前記第１の係止部として、規制片部と、係止片部と、を有し、
前記アウターハウジングは、該アウターハウジングの外形状を形成する側壁の一部に前記アウター端子が挿入される挿入孔が形成され、該挿入孔は、その一部に、前記第１の被係止部として、規制溝部と、係止溝部と、を有し、
前記装着状態においては、前記アウター端子の一部が前記アウターハウジングの前記挿入孔に収容された状態で、該アウター端子が該アウターハウジングに保持され、
該装着状態においては、前記規制片部が前記規制溝部に係止されることにより、前記アウター端子の挿入方向のうちの一方向への前記アウター端子の前記アウターハウジングに対する移動が規制され、且つ、前記係止片部が前記係止溝部に係止されることにより、前記挿入方向のうちの他方向への前記アウター端子の前記アウターハウジングに対する移動が規制されている、
ことを特徴とする請求項１に記載の基板用シールドコネクタ。
【請求項３】
前記インナーハウジングは、前記インナー端子を内部に保持可能な円筒状に形成され、
前記アウターハウジングは、該アウターハウジングの外形状を形成する側壁の一部に前記インナーハウジングが挿入される挿入孔が形成され、該挿入孔は、その一部に前記インナーハウジングの挿入方向に延びる第１の案内溝と、該第１の案内溝に連通されて前記挿入方向とは垂直な方向に延びる第２の案内溝と、を有し、
前記第２の係止部は、前記インナーハウジングの外周面から突設された突部であり、
前記インナーハウジングが、前記挿入孔に挿入される際には、前記突部が、前記第１の案内溝により案内された後、前記第２の案内溝により案内され、前記第２の被係止部との係止位置まで案内される、
ことを特徴とする請求項１に記載の基板用シールドコネクタ。
【請求項４】
前記アウター端子は、前記突部が前記第２の案内溝により案内されて前記第２の被係止部との係止位置まで案内された状態において、前記インナーハウジングと前記アウターハウジングの間に嵌入する、
ことを特徴とする請求項３に記載の基板用シールドコネクタ。
【発明の詳細な説明】
【技術分野】
【０００１】
本発明は、基板用シールドコネクタに関する。
【背景技術】
【０００２】
自動車等の車両において用いられる各種電子機器には、高周波信号を用いるものがある。このような電子部品には、高周波信号を伝送するためのシールド電線が使用される。このシールド電線とプリント基板とを中継接続するために、基板に取付けられて使用されるコネクタである、基板用シールドコネクタが用いられる場合がある（例えば、特許文献１参照。）。
【先行技術文献】
【特許文献】
【０００３】
【特許文献１】特開２０１２―２２８８５号公報
【発明の概要】
【発明が解決しようとする課題】
【０００４】
まず、従来の基板用シールドコネクタの例として、図１２及び図１３を参照して、特許文献１に開示された基板用シールドコネクタを説明する。図１２は、従来の基板用シールドコネクタ１００の分解斜視図である。図１３は、図１２に示す基板用シールドコネクタ１００の外導体端子１３０を示す斜視図であり、図１３（ａ）は斜視図、図１３（ｂ）は正面図である。
【０００５】
基板用シールドコネクタ１００は、内導体端子（インナー端子）１１０と、内導体端子１１０の外周を覆う外導体端子（アウター端子）１３０と、内導体端子１１０と外導体端子１３０との間に配設される誘電体（インナーハウジング）１２０と、外導体端子１３０を収容して回路基板（図示せず。）に固定されるコネクタハウジング（アウターハウジング）１４０とを備えている。
【０００６】
基板用シールドコネクタ１００においては、誘電体１２０は、外導体端子１３０の本体筒部１３１の左右両側の壁面に内側に向けて突設された圧入突起１３３（図１３（ｂ）参照。）が、該外導体端子１３０に対して挿入された誘電体１２０の外面に食い込むことにより（即ち、圧入により。）、外導体端子１３０に対して固定されている。
【０００７】
近年では、基板用シールドコネクタ１００の更なる小型化が望まれている。
【０００８】
本発明は、上述した事情に鑑みてなされたものであり、その目的は、アウター端子を小型化できる基板用シールドコネクタを提供することにある。
【課題を解決するための手段】
【０００９】
前述した目的を達成するために、本発明に係る基板用シールドコネクタは、下記（１）〜（４）を特徴としている。
（１）  相手方端子と回路基板の信号パターンとに接続される導電金属製のインナー端子と、
前記回路基板のグランドパターンに接続され、前記インナー端子の一部を覆う導電金属製のアウター端子と、
前記インナー端子と前記アウター端子との間に配置される絶縁樹脂製のインナーハウジングと、
前記アウター端子を収容して前記回路基板に固定される絶縁樹脂製のアウターハウジングと、
を備え、
前記アウター端子は、第１の係止部を有し、
前記インナーハウジングは、第２の係止部を有し、
前記アウターハウジングは、前記第１の係止部が係止される第１の被係止部と、前記第２の係止部が係止される第２の被係止部と、を有し、
前記インナーハウジングを保持する前記アウター端子が、前記アウターハウジングによって保持されている装着状態においては、前記第１の係止部が前記第１の被係止部に係止され、前記第２の係止部が前記第２の被係止部に係止されることによって、前記アウター端子及び前記インナーハウジングが前記アウターハウジングに組付けられている、
こと。
（２）  上記（１）の構成の基板用シールドコネクタであって、
前記アウター端子は、前記第１の係止部として、規制片部と、係止片部と、を有し、
前記アウターハウジングは、該アウターハウジングの外形状を形成する側壁の一部に前記アウター端子が挿入される挿入孔が形成され、該挿入孔は、その一部に、前記第１の被係止部として、規制溝部と、係止溝部と、を有し、
前記装着状態においては、前記アウター端子の一部が前記アウターハウジングの前記挿入孔に収容された状態で、該アウター端子が該アウターハウジングに保持され、
該装着状態においては、前記規制片部が前記規制溝部に係止されることにより、前記アウター端子の挿入方向のうちの一方向への前記アウター端子の前記アウターハウジングに対する移動が規制され、且つ、前記係止片部が前記係止溝部に係止されることにより、前記挿入方向のうちの他方向への前記アウター端子の前記アウターハウジングに対する移動が規制されている、
こと。
（３）  上記（１）の構成の基板用シールドコネクタであって、
前記インナーハウジングは、前記インナー端子を内部に保持可能な円筒状に形成され、
前記アウターハウジングは、該アウターハウジングの外形状を形成する側壁の一部に前記インナーハウジングが挿入される挿入孔が形成され、該挿入孔は、その一部に前記インナーハウジングの挿入方向に延びる第１の案内溝と、該第１の案内溝に連通されて前記挿入方向とは垂直な方向に延びる第２の案内溝と、を有し、
前記第２の係止部は、前記インナーハウジングの外周面から突設された突部であり、
前記インナーハウジングが、前記挿入孔に挿入される際には、前記突部が、前記第１の案内溝により案内された後、前記第２の案内溝により案内され、前記第２の被係止部との係止位置まで案内される、
こと。
（４）  上記（３）の構成の基板用シールドコネクタであって、
前記アウター端子は、前記突部が前記第２の案内溝により案内されて前記第２の被係止部との係止位置まで案内された状態において、前記インナーハウジングと前記アウターハウジングの間に嵌入する、
こと。
【００１０】
上記（１）の構成の基板用シールドコネクタでは、装着状態においては、第１の係止部が第１の被係止部に係止され、第２の係止部が第２の被係止部に係止されることによって、アウター端子及びインナーハウジングがアウターハウジングに組付けられる。このため、アウター端子にインナーハウジングを係止するための係止構造を設ける必要がない。
上記（２）の構成の基板用シールドコネクタでは、規制片部が規制溝部に係止され、且つ、係止片部が係止溝部に係止されることにより、アウター端子のアウターハウジングに対する挿入方向における移動が規制される。これにより、アウター端子がアウターハウジングに保持される。
上記（３）の構成の基板用シールドコネクタでは、インナーハウジングの突部が、第１の案内溝により案内された後、第２の案内溝により案内されてアウターハウジングの第２の被係止部との係止位置まで案内される。このため、突部と第２の被係止部への係止を確実に行うことができる。
上記（４）の構成の基板用シールドコネクタでは、アウター端子が、突部が第２の案内溝により案内されて第２の被係止部との係止位置まで案内された状態において、インナーハウジングとアウターハウジングの間に嵌入する。これにより、アウター端子がインナーハウジングを保持し、当該インナーハウジングを保持したアウター端子がアウターハウジングによって保持される。
【発明の効果】
【００１１】
本発明に係る基板用シールドコネクタによれば、アウター端子を小型化できる基板用シールドコネクタを提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、実施形態に係る基板用シールドコネクタ１の外観を基板７０と併せて示す外観図であり、図１（ａ）は基板用シールドコネクタ１及び回路基板７０の平面図、図１（ｂ）は正面図、図１（ｃ）は側面図、図１（ｄ）は正面上方から視た斜視図である。
【図２】図２は、基板用シールドコネクタ１の外観図であり、図２（ａ）は背面図、図２（ｂ）は背面下方から視た斜視図である。
【図３】図３は、基板用シールドコネクタ１の分解斜視図である。
【図４】図４は、インナー端子１０を示す図であり、図４（ａ）は正面上方から視た外観斜視図、図４（ｂ）は図４（ａ）に示すインナー端子１０の縦断面を示す斜視図である。
【図５】図５は、インナーハウジング２０を示す図であり、図５（ａ）は正面上方から視た外観斜視図、図５（ｂ）は図５（ａ）に示すインナーハウジング２０の縦断面を示す斜視図、図５（ｃ）は背面上方から視た斜視図である。
【図６】図６は、アウター端子３０を示す図であり、図６（ａ）は正面上方から視た外観斜視図、図６（ｂ）は図６（ａ）に示すアウター端子３０の縦断面を示す斜視図、図６（ｃ）は背面上方から視た斜視図である。
【図７】図７は、アウターハウジング４０を示す斜視図であり、図７（ａ）は正面上方から視た斜視図、図７（ｂ）はアウターハウジング４０の縦断面を示す、左側上方から視た斜視図、図７（ｃ）はアウターハウジング４０の縦断面を示す、右側上方から視た縦断面を示す斜視図である。
【図８】図８は、アウターハウジング４０の外観図であり、図８（ａ）は正面図、図８（ｂ）は背面図である。
【図９】図９は、基板用シールドコネクタ１の縦断面を示す、左側から視た断面図である。
【図１０】図１０は、基板用シールドコネクタ１の縦断面を示す斜視図であり、図１０（ａ）は背面左側上方から視た斜視図、図１０（ｂ）は背面右側上方から視た斜視図である。
【図１１】図１１は、アウターハウジング４０の挿入孔５０にインナーハウジング２０の固定部２４を挿入する工程を示す説明図であり、図１１（ａ）は挿入時におけるアウターハウジング４０とインナーハウジング２０を、図１１（ｂ）は仮止め状態におけるアウターハウジング４０とインナーハウジング２０を示している。
【図１２】図１２は、従来の基板用シールドコネクタ１００の分解斜視図である。
【図１３】図１３は、図１２に示す基板用シールドコネクタ１００の外導体端子３０を示す斜視図であり、図１３（ａ）は斜視図、図１３（ｂ）は正面図である。
【発明を実施するための形態】
【００１４】
本発明に係る基板用シールドコネクタの具体的な実施形態について、各図を参照しながら以下に説明する。
【００１５】
図１〜図１１は、本発明の一実施形態に係る基板用シールドコネクタ１を示している。以下、本明細書中では、図３に矢印で示すように前側、後側、上側、下側、左側、右側を規定して説明する。
【００１６】
基板用シールドコネクタ１は、図１〜図３に示すように、基板用シールドコネクタ１の取付け対象である回路基板７０上の信号パターン７１に半田付けされて該信号パターン７１に電気的に接続される導電金属製のインナー端子１０と、回路基板７０上のグランドパターン７３，７３に半田付けされて該グランドパターン７３，７３に電気的に接続される導電金属製のアウター端子３０と、インナー端子１０とアウター端子３０との間に介在する絶縁樹脂製のインナーハウジング２０と、インナー端子１０、インナーハウジング２０、及びアウター端子３０を内部に収容し、回路基板７０に固定され、相手方コネクタ（同軸コネクタ。図示せず。）が嵌合される絶縁樹脂製のアウターハウジング４０と、を備えている。基板用シールドコネクタ１では、装着状態においては、インナー端子１０が固定されたインナーハウジング２０がアウター端子３０により保持され、該アウター端子３０がアウターハウジング４０によって保持されている。以下では、まず、上記各部材の構成について説明する。
【００１７】
インナー端子１０は、図４に示すように、相手方コネクタに収容された相手方端子（図示せず。）に電気的に接続される、前後方向に棒状に延びる接続部１１と、該接続部１１から延設された扁平板状の圧入部１３と、該圧入部１３から延設されて回路基板７０上の信号パターン７１に接続される棒状の信号パターンリード部１５と、を有している。インナー端子１０は、圧入部１３が後述するインナーハウジング２０のインナー端子圧入孔２５に圧入されて固定されることにより、インナーハウジング２０に対して固定される。
【００１８】
インナーハウジング２０は、樹脂成形により形成され、図５に示すように、前後方向に延びる円筒状の収容孔２３が内部に形成され、インナー端子１０の接続部１１の一部を該収容孔２３内部に収容して該接続部１１の外周を包囲する円筒状の収容部２１と、円筒及び平板を重ねた内縁形状で前後方向に延びるインナー端子圧入孔２５が内部に形成され、インナー端子１０の圧入部１３が該インナー端子圧入孔２５に圧入されて固定される、上半分が円形状で下半分が当該円の直径に幅長が等しい矩形状の外形状で前後方向に延びる固定部２４と、を有している。固定部２４の円形状側面の上部からは、突起（突部）２７が上方に向けて突設されている。突起２７の上面は、後述する挿入孔５０の案内部５２の形状に合わせて正面視円弧状に形成されている。また、固定部２４の下部における方形状部分は、後述するアウター端子３０の受け部３５に嵌入する嵌合部２９として機能する。
【００１９】
アウター端子３０は、導電金属板を折り曲げ成形することにより形成され、図６に示すように、インナー端子１０の接続部１１、及び該接続部１１の外周を包囲するインナーハウジング２０の収容部２１の外周を更に包囲する、前後方向に円筒状に延びるシールド部３１と、該シールド部３１から延設された底板３２と該底板３２から上方に向けて起立する一対の側板３３，３３とから成る受け部３５と、該受け部３５の一対の側板３３，３３それぞれの上端縁部から延設されて回路基板７０のグランドパターン７３に接続される、前後方向に延びる棒状のグランドパターンリード部３７と、を有している。また、アウター端子３０の受け部３５の底板３２は、該底板３２の一部がＵ字型に打ち抜かれて形成された片部が、下方に向けて折り曲げられることにより形成された、底板３２から下方に突出した可撓性の係止片部３９を有している。係止片部３９は、後述する挿入孔５０の係止段部５９に係止される。また、シールド部３１の左右両側の後端部には、当該後端部側の一部がシールド部３１の外側に向けて折り曲げられて正面視扇形に形成された規制片部３８が、それぞれ設けられている。これら規制片部３８，３８は、後述する挿入孔５０の規制溝部５７に係止される。
【００２０】
アウターハウジング４０は、図７に示すように、樹脂成形により有底角筒状に形成され、後側の側壁としての底壁４１にはインナーハウジング２０及びアウター端子３０が挿入される、該底壁４１の前面から後面に亘って前後方向に貫通する挿入孔５０が穿設されている。アウターハウジング４０は、図１に示すように、回路基板７０に固定されて使用され、図９及び図１０に示すように、インナー端子１０が固定されたインナーハウジング２０及びアウター端子３０が組付けられてこれらを内部に収容する。また、アウターハウジング４０には、相手方コネクタが嵌合される。これにより、相手方コネクタの相手方端子とインナー端子１０の接続部１１が導通接続される。
【００２１】
挿入孔５０は、図７に示すように、正面視において上半分が円形状で下半分が当該円の直径に幅長が等しい矩形状の内縁形状で、底壁４１の前面から後面に亘って穿設されて該底壁４１を前後方向に貫通する挿通部５１と、底壁４１の後面における挿通部５１の上部から穿設され、挿通部５１及びアウターハウジング４０の外部空間に連通した案内部５２と、底壁４１の後面における挿通部５１の下部から穿設され、挿通部５１及びアウターハウジング４０の外部空間に連通した係止溝部５３と、底壁４１の前面から穿設され、挿通部５１及びアウターハウジング４０の内部空間に連通した規制溝部５７と、を有している。
【００２２】
案内部５２は、正面視扇形の内縁形状で底壁４１の後面から底壁４１の前後方向中央付近まで前後方向に延びるように穿設された第１の案内溝５４と、該第１の案内溝５４に連通した、正面視扇形の内縁形状で底壁４１の内部における前方付近から上記前後方向中央付近まで前後方向に延びるように穿設された第２の案内溝５５と、該第２の案内溝５５及びアウターハウジング４０の内部空間に連通した、第２の案内溝５５と同一の内縁形状で底壁４１の上記前後方向中央付近から底壁４１の前面まで前後方向に延びるように穿設された第３の案内溝５６と、を有している。
【００２３】
異なる見方をすれば、案内部５２は、正面視扇形の内縁形状で前後方向に延びる第１の案内溝５４と、該第１の案内溝５４に連通した、正面視において第１の案内溝５４の内縁と連続する扇形の内縁形状となるように、図６（ｅ）における反時計回りの向き（前後方向と垂直な方向。）に延びるように穿設された第２の案内溝５５と、該第２の案内溝５５及びアウターハウジング４０の内部空間に連通した、第２の案内溝５５と同一の内縁形状で前後方向に延びる第３の案内溝５６と、を有しているとも見ることができる。
【００２４】
第２の案内溝５５は、アウターハウジング４０の外部空間とは連通しておらず、該第２の案内溝５５と該アウターハウジング４０の外部空間とは、底壁４１の一部によって隔てられている。当該第２の案内溝５５とアウターハウジング４０の外部空間とを隔てる底壁４１の一部の前面であり、第２の案内溝５５を画成する内面である係止面５５ａは、後述するインナーハウジング２０がアウターハウジング４０に装着された状態においては、後述するようにインナーハウジング２０の突起２７と協働して、インナーハウジング２０のアウターハウジング４０に対する前後方向への抜け止めに供される。
【００２５】
係止溝部５３は、幅長が挿通部５１の幅長と等しい矩形状の内縁形状で、底壁４１の後面から底壁４１の前後方向中央付近まで前後方向に延びるように穿設されている。これにより、当該底壁４１の前後方向中央付近において、係止溝部５３と挿通部５１との間には係止段部５９が形成されている。
【００２６】
規制溝部５７，５７は、アウター端子３０の規制片部３８と対応した正面視扇形の内縁形状で、底壁４１の前面から前後方向に延びるように、挿入孔５０の左右両側に、それぞれ穿設されている。規制溝部５７を画成する後側の内面である規制面５７ａ、及び上記係止段部５９は、後述するように、アウター端子３０のアウターハウジング４０に対する前後方向への抜け止めに供される。
【００２７】
次に、主に図７を参照して、インナーハウジング２０を保持するアウター端子３０がアウターハウジング４０によって保持されている装着状態について説明する。
【００２８】
装着状態においては、図７に示すように、内側からインナー端子１０、インナーハウジング２０、アウター端子３０の順に、これら各部材がアウターハウジング４０の内部に配置されている。また、装着状態においては、インナーハウジング２０の一部及びアウター端子３０の一部が、アウターハウジング４０の挿入孔５０に収容された状態で、アウター端子３０がアウターハウジング４０によって保持されている。
【００２９】
インナー端子１０は、インナーハウジング２０のインナー端子圧入孔２５に対して後方から挿入され、圧入部１３がインナー端子圧入孔２５に圧入されて固定されることにより、接続部１１の一部が収容孔２３内部に収容されて接続部１１の外周が収容部２１により包囲された状態で、インナーハウジング２０に対して固定される。
【００３０】
インナーハウジング２０は、突起２７の一部が第１の案内溝５４の内部に位置し、突起２７の別の一部が第２の案内溝５５の内部に位置し、且つ、固定部２４の嵌合部２９がアウター端子３０の受け部３５に嵌入した状態で、アウター端子３０に保持されている。突起２７の一部が第１の案内溝５４の内部に位置していることにより、突起２７が第１の案内溝を形成する内面である係止面５４ａに係止され、突起２７の前方への移動が係止面５４ａによって規制されている。また、突起２７の一部が第２の案内溝５５の内部に位置していることにより、突起２７が係止面５５ａに係止され、突起２７の後方への移動が係止面５５ａによって規制されている。さらに、固定部２４の嵌合部２９がアウター端子３０の受け部３５に嵌入していることにより、嵌合部２９の左右側面が受け部３５の一対の側板３３，３３に当接して、インナーハウジング２０の左右方向への移動が規制されている。また、収容部２１の上面がアウター端子３０のシールド部３１の内面に当接し、嵌合部２９が嵌入した受け部３５の底板３２が、案内部５２の下側の内面に当接していることにより、即ちインナーハウジング２０がシールド部３１の内面と受け部３５との間に挟持されていることにより、インナーハウジング２０の上下方向への移動が規制されている。インナーハウジング２０は、以上説明したように各方向への移動が規制されることにより、アウターハウジング４０に組付けられている。
【００３１】
尚、本実施形態においては、収容部２１の上面がアウター端子３０のシールド部３１の内面に当接し、嵌合部２９が嵌合した受け部３５の底板３２が、案内部５２の下側の内面に当接していることにより、即ちインナーハウジング２０がシールド部３１の内面と受け部３５との間に挟持されていることにより、インナーハウジング２０の上下方向への移動が規制されている構成としたが、この代わりに、或いはこれに加えて、突起２７の上面が案内部５２の上側の内面に当接し、嵌合部２９が嵌合した受け部３５の底板３２が案内部５２の下側の内面に当接していることにより、即ちインナーハウジング２０が挿入孔５０の内面と受け部３５との間に挟持されていることにより、インナーハウジング２０の上下方向への移動が規制されている構成としても構わない。
【００３２】
装着状態においては、インナーハウジング２０の収容部２１は、インナー端子１０の接続部１１とアウター端子３０のシールド部３１との間に介在して、両端子間のインピーダンスを制御するための誘電体としての機能を発揮する。
【００３３】
アウター端子３０は、シールド部３１の外面の一部が挿入孔５０の内面に当接し、係止片部３９が挿入孔５０の係止段部５９に係止され、規制片部３８が挿入孔５０の規制溝部５７に係止された状態で、アウターハウジング４０に保持されている。シールド部３１の外面が挿入孔５０の内面に当接していることにより、アウター端子３０の上下方向及び左右方向の移動が規制されている。また、受け部３５の外面が挿入孔５０の内面に当接していることによっても、アウター端子３０の左右方向への移動が規制されている。そして、図９に示すように、係止片部３９が係止段部５９に係止されていることにより、アウター端子３０の前方への移動が規制され、規制片部３８が規制面５７ａに係止されていることにより、アウター端子３０の後方への移動が規制されている。即ち、規制片部３８と係止片部３９とが、第１の係止部として機能し、規制面５７ａと係止段部５９とが、当該第１の係止部が係止される第１の被係止部として機能している。また、本実施形態では、規制片部３８が、当該規制片部３８に対応する形状に形成された規制溝部５７に収容されるように係止されているために、アウター端子３０の上下方向への移動及び回転方向への移動が規制されている。アウター端子３０は、以上説明したように各方向への移動が規制されることにより、アウターハウジング４０に組付けられている。
【００３４】
装着状態においては、アウター端子３０のシールド部３１は、インナー端子１０の接続部１１、及び該接続部１１の外周を包囲するインナーハウジング２０の収容部２１の外周を更に包囲して、相手方端子との接続に用いられる接続部１１を電磁的にシールドしている。
【００３５】
次に、主に図２及び図８を参照して、インナーハウジング２０及びアウター端子３０をアウターハウジング４０に組付ける手順を説明する。以下、組付け手順の説明に際して、組付けに係る作業を作業者が実施する態様を説明するが、本発明の実施態様はこれに限られない。例えば、組付けに係る作業の一部又は全てが機械装置により為される態様であってもよい。
【００３６】
はじめに、作業者は、インナーハウジング２０をアウターハウジング４０に仮止めする。より具体的には、作業者は、まず、図８（ａ）に示すように、インナーハウジング２０を、収容部２１側から、図８（ａ）における時計回り方向に角度θだけ傾けた状態で、アウターハウジング４０の挿入孔５０（挿通部５１）に後方から挿入する。インナーハウジング２０は、角度θだけ回転して傾けられているために、突起２７が底壁４１の後面に当接することなく該第１の案内溝５４に進入して、突起２７が第１の案内溝５４の係止面５４ａに当接するまで、挿入孔５０に挿入される。この挿入過程においては、突起２７が第１の案内溝５４により案内（ガイド）される。即ち、当該挿入過程においては、突起２７の前後方向への移動が許容され、回転方向への移動、及び該回転方向に垂直な方向（第１の案内溝５４の内縁形状を構成する扇形の半径方向。）への移動が第１の案内溝５４の内面により規制されている。
【００３７】
その後、作業者は、インナーハウジング２０を、図８（ｂ）における反時計回り方向に角度θだけ回転させる。これにより、図８（ｂ）に示すように、突起２７が第２の案内溝５５に進入して、図８（ｂ）に示すように、突起２７の一部が第１の案内溝５４の内部に位置し、突起２７の別の一部が第２の案内溝５５の内部に位置する状態となる。このようにインナーハウジング２０がアウターハウジング４０に仮止めされた仮止め状態においては、突起２７が係止面５４ａ及び係止面５５ａに係止され、インナーハウジング２０の前後方向への移動が規制されている。即ち、突起２７は、第１の案内溝５４及び第２の案内溝５５により、係止面５４ａ及び係止面５５ａとの係止位置まで案内される。また、この仮止め状態においては、図８（ｂ）に示すように、インナーハウジング２０とアウターハウジング４０との間には、次の工程においてアウター端子３０が嵌入される隙間が形成されている。
【００３８】
次に、作業者は、アウター端子３０をアウターハウジング４０に組付ける。より具体的には、作業者は、アウター端子３０の受け部３５及びグランドパターンリード部３７を、受け部３５が、インナーハウジング２０の嵌合部２９と嵌合するように、インナーハウジング２０とアウターハウジング４０との間の隙間に前方から挿入する。このとき、作業者は、規制片部３８が規制面５７ａに当接して係止され、アウター端子３０の後方への移動が規制されるまで、アウター端子３０を挿入する。また、当該挿入過程においては、挿入孔５０の底面によって係止片部３９が上方に向けて撓み変形された状態で、アウター端子３０が挿入される。そして、図９に示すように、規制片部３８が規制面５７ａに当接して係止される位置までアウター端子３０が挿入されると、係止片部３９が係止溝部５３内で元の形状に復帰し、これにより係止片部３９が係止段部５９に係止される。これにより、シールド部３１の外面の一部が挿入孔５０内面に当接し、係止片部３９が挿入孔５０の係止段部５９に係止され、規制片部３８が規制面５７ａに係止された状態となる。この状態においては、前述したように、アウター端子３０の各方向への移動が規制される。以上の手順により、アウター端子３０がアウターハウジング４０に組付けられる。
【００３９】
また、こうしてアウター端子３０がアウターハウジング４０に組付けられると、インナーハウジング２０の嵌合部２９がアウター端子３０の受け部３５に嵌入した状態となるために、上記前後方向への移動に加えて、インナーハウジング２０の上下方向及び左右方向への移動が規制され、インナーハウジング２０の各方向への移動が規制される。したがって、以上の手順により、インナーハウジング２０もアウターハウジング４０に組付けられる。
【００４０】
その後、作業者は、インナー端子１０をインナーハウジング２０に組付ける。より具体的には、作業者は、インナー端子１０を接続部１１側からインナーハウジング２０のインナー端子圧入孔２５に挿入する。作業者は、接続部１１が収容孔２３に収容され、且つ、圧入部１３がインナー端子圧入孔２５に圧入されてインナー端子１０がインナーハウジング２０に対して固定された状態となるまで、インナー端子１０を挿入する。以上の手順により、インナー端子１０がインナーハウジング２０に組付けられる。換言すれば、インナー端子１０が、インナーハウジング２０を介してアウターハウジング４０に組付けられる。
【００４１】
尚、本実施形態においては、上述したように、インナーハウジング２０及びアウター端子３０をアウターハウジング４０に組付けた後で、インナー端子１０をインナーハウジング２０に組付ける構成としたが、組付け順序はこれに限られない。例えば、インナー端子１０を予めインナーハウジング２０に圧入して固定した後、当該インナー端子１０が固定されたインナーハウジング２０をアウターハウジング４０に組付け、その後、アウター端子３０をアウターハウジング４０に組付ける構成としても構わない。
【００４２】
以上の手順により、インナー端子１０が固定されたインナーハウジング２０がアウターハウジング４０に組付けられ、該アウター端子３０がアウターハウジング４０に組付けられて、本実施形態に係る基板用シールドコネクタ１が得られる。
【００４３】
以下では、本実施形態に係る基板用シールドコネクタ１の作用及び効果を説明する。
【００４４】
本実施形態に係る基板用シールドコネクタ１は、相手方端子と回路基板７０の信号パターン７１とに接続される導電金属製のインナー端子１０と、回路基板７０のグランドパターン７３に接続され、インナー端子１０の一部を覆う導電金属製のアウター端子３０と、インナー端子１０とアウター端子３０との間に配置される絶縁樹脂製のインナーハウジング２０と、アウター端子３０を収容して回路基板７０に固定される絶縁樹脂製のアウターハウジング４０と、を備えている。また、アウター端子３０は、第１の係止部としての規制片部３８及び係止片部３９を有し、インナーハウジング２０は、第２の係止部としての突起２７を有し、アウターハウジング４０は、係止片部３９が係止される第１の被係止部としての規制面５７ａ及び係止段部５９と、突起２７が係止される第２の被係止部としての係止面５４ａ，５５ａと、を有している。そして、インナーハウジング２０を保持するアウター端子３０が、アウターハウジング４０によって保持されている装着状態においては、規制片部３８が規制面５７ａに係止され、係止片部３９が係止段部５９に係止され、突起２７が係止面５４ａ，５５ａに係止されることによって、アウター端子３０及びインナーハウジング２０がアウターハウジング４０に組付けられている。
これにより、装着状態においては、規制片部３８が規制面５７ａに係止され、係止片部３９が係止段部５９に係止され、突起２７が係止面５４ａ，５５ａに係止されることによって、アウター端子３０及びインナーハウジング２０がアウターハウジング４０に組付けられているため、アウター端子３０にインナーハウジング２０を係止するための係止構造を設ける必要がない。
この結果、本実施形態に係る基板用シールドコネクタ１によれば、アウター端子３０を小型化できる基板用シールドコネクタを提供できる。
【００４５】
また、例えば、図１１及び図１２に示したような従来の基板用シールドコネクタ１００においては、前述したように、誘電体１２０は、圧入により外導体端子１３０に対して固定されており、当該誘電体１２０が固定された外導体端子１３０が、コネクタハウジング１４０に固定される。即ち、誘電体１２０は、外導体端子１３０を介してコネクタハウジング１４０に組付けられている。組付け時には、作業者は、予め誘電体１２０を外導体端子１３０に圧入して固定した後、当該誘電体１２０が固定された外導体端子１３０をコネクタハウジング１４０に組付ける。このように、予め圧入により誘電体１２０と外導体端子１３０とを固定してアッシーしてしまうと、当該アッシーした部材をコネクタハウジング１４０に組付ける際に、誘電体１２０のコネクタハウジング１４０に対する組付け位置を調整できないため、誘電体１２０のコネクタハウジング１４０に対する組付け精度が悪化してしまう虞があった。
これに対して、本実施形態に係る基板用シールドコネクタ１では、アウター端子３０及びインナーハウジング２０それぞれがアウターハウジング４０に対して組付けられているため、インナーハウジング２０のアウターハウジング４０に対する組付け精度を向上することができる。
【００４６】
また、本実施形態に係る基板用シールドコネクタ１では、アウター端子３０は、第１の係止部として、規制片部３８と、係止片部３９と、を有している。アウターハウジング４０は、アウターハウジング４０の外形状を形成する側壁の一部にアウター端子３０が挿入される挿入孔５０が形成され、該挿入孔５０は、その一部に、第１の被係止部として、規制溝部５７（規制面５７ａ）と、係止溝部５３（係止段部５９）と、を有している。そして、装着状態においては、アウター端子３０の一部がアウターハウジング４０の挿入孔５０に収容された状態で、アウター端子３０がアウターハウジング４０に保持される。また、装着状態においては、規制片部３８が規制面５７ａに係止されることにより、アウター端子３０のアウターハウジング４０に対するアウター端子３０の挿入方向（前後方向）のうちの一方向（後方）への移動が規制され、且つ、係止片部３９が係止段部５９に係止されることより、アウター端子３０の前後方向のうちの他方向（前方）への移動が規制されている。
したがって、装着状態においては、規制片部３８が規制溝部５７に係止され、且つ、係止片部３９が係止溝部５３に係止されることにより、アウター端子３０のアウターハウジング４０に対する挿入方向における移動が規制され、アウター端子３０がアウターハウジング４０に保持される。
【００４７】
また、本実施形態に係る基板用シールドコネクタ１では、インナーハウジング２０は、インナー端子１０を内部に保持可能な円筒状に形成され、アウターハウジング４０は、該アウターハウジング４０の外形状を形成する底壁４１の一部にインナーハウジング２０が挿入される挿入孔５０が形成され、該挿入孔５０は、その一部にインナーハウジング２０の挿入方向に延びる第１の案内溝５４と、該第１の案内溝５４に連通されて該挿入方向とは垂直な方向に延びる第２の案内溝５５と、を有している。そして、インナーハウジング２０が、挿入孔５０に挿入されてアウターハウジング４０に装着される際には、インナーハウジング２０の外周面から突設された第２の係止部としての突起２７が、第１の案内溝５４により案内された後、第２の案内溝５５により案内され、係止面５４ａ，５５ａとの係止位置まで案内される。
これにより、インナーハウジング２０の突起２７が、第１の案内溝５４により案内された後、第２の案内溝５５により案内されてアウターハウジング４０の係止面５４ａ，５５ａとの係止位置まで案内されることにより、インナーハウジング２０がアウターハウジング４０に装着される。このため、アウターハウジング４０へのインナーハウジング２０の装着を確実に行うことができる。
【００４８】
また、本実施形態に係る基板用シールドコネクタ１では、アウター端子３０は、突起２７が第２の案内溝５５により案内されて係止面５４ａ，５５ａとの係止位置まで案内された状態において、インナーハウジング２０とアウターハウジング４０の間に嵌入する。
これにより、アウター端子３０がインナーハウジング２０を保持し、当該インナーハウジング２０を保持したアウター端子３０がアウターハウジング４０によって保持される。
【００４９】
尚、本発明の技術的範囲は、上述した実施形態に限定されるものではない。上述した実施形態は、本発明の技術的範囲内で種々の変形や改良等を伴うことができる。
【符号の説明】
【００５０】
１  基板用シールドコネクタ
１０  インナー端子
１１  接続部
１３  圧入部
１５  信号パターンリード部
２０  インナーハウジング
２１  収容部
２３  収容孔
２４  固定部
２５  インナー端子圧入孔
２７  突起（突部）
２９  嵌合部
３０  アウター端子
３１  シールド部
３２  底板
３３  側板
３５  受け部
３７  グランドパターンリード部
３８  規制片部
３９  係止片部
４０  アウターハウジング
４１  底壁
５０  挿入孔
５１  挿通部
５２  案内部
５３  係止溝部
５４  第１の案内溝
５４ａ  係止面
５５  第２の案内溝
５５ａ  係止面
５６  第３の案内溝
５７  規制溝部
５７ａ  規制面
５９  係止段部
７０  回路基板
７１  信号パターン
７３  グランドパターン
【図１】
2014060130.tif 000003
【図２】
2014060130.tif 000004
【図３】
2014060130.tif 000005
【図４】
2014060130.tif 000006
【図５】
2014060130.tif 000007
【図６】
2014060130.tif 000008
【図７】
2014060130.tif 000009
【図８】
2014060130.tif 000010
【図９】
2014060130.tif 000011
【図１０】
2014060130.tif 000012
【図１１】
2014060130.tif 000013
【図１２】
2014060130.tif 000014
【図１３】
2014060130.tif 000015